(57)【特許請求の範囲】
【請求項１】
光源から出射され、第１の偏光ビームスプリッタにより信号搬送光と参照光に分離され、情報の記録時においては、該信号搬送光が所望の情報を担持して信号光としてホログラム記録媒体の所定位置に照射されるとともに、分離された前記参照光が該所定位置に照射されることによって該所定位置に情報が記録され、情報の再生時においては、前記参照光のみを前記所定位置に照射して記録されている情報を読み出し、読み出された情報を撮像手段により撮像して情報が再生されるように構成され、
前記情報の記録時における記録用参照光と、前記情報の再生時における再生用参照光とは、第２の偏光ビームスプリッタにより偏光分離され、前記ホログラム記録媒体を挟んで互いに対向するような位置関係で該ホログラム記録媒体に照射される位相共役型とされたホログラム記録再生装置において、
前記情報の記録時にあっては、記録用参照光偏向角可変ミラーにより前記ホログラム記録媒体に照射された前記記録用参照光のうち、該ホログラム記録媒体を透過し、再生用参照光偏向角可変ミラーにて反射された記録用参照光透過光を吸収する光吸収部と、前記ホログラム記録媒体への参照光の入射角度の変化に拘らず、前記記録用参照光透過光が、前記光吸収部に入射するように前記再生用参照光偏向角可変ミラーによる参照光偏向角を制御する記録用参照光偏向角制御手段と、からなる記録用光吸収手段、
および、前記情報の再生時にあっては、前記再生用参照光偏向角可変ミラーにより前記ホログラム記録媒体に照射された前記再生用参照光のうち、該ホログラム記録媒体を透過し、前記記録用参照光偏向角可変ミラーにて反射された再生用参照光透過光を吸収する光吸収部と、前記ホログラム記録媒体への参照光の入射角度の変化に拘らず、前記再生用参照光透過光が、光吸収部に入射するように前記記録用参照光偏向角可変ミラーによる参照光偏向角を制御する再生用参照光偏向角制御手段と、からなる再生用光吸収手段、
のうち少なくとも一方の光吸収手段を備えたことを特徴とするホログラム記録再生装置。
【請求項２】
前記情報の記録時において、前記ホログラム記録媒体に照射される前記記録用参照光の反射角を順次変更し、当該記録用参照光の前記ホログラム記録媒体への入射角度を順次変更しながら、この記録用参照光を前記ホログラム記録媒体の被照射部に重ねて照射する記録用参照光偏向角可変ミラーと、
前記情報の再生時において、前記ホログラム記録媒体に照射する前記再生用参照光の反射角を順次変更し、当該再生用参照光の前記ホログラム記録媒体への入射角度を順次変更しながら、この再生用参照光を前記ホログラム記録媒体の被照射部に重ねて照射する再生用参照光偏向角可変ミラーを備えたことを特徴とする請求項１に記載のホログラム記録再生装置。
【請求項３】
前記記録用光吸収手段および前記再生用光吸収手段の双方を備え、
前記情報の記録時にあっては、前記記録用参照光透過光が、前記再生用参照光偏向角可変ミラーにより反射され、前記情報の再生時における参照光の光路を逆進して、前記第２の偏光ビームスプリッタを反射／透過し、該第２の偏光ビームスプリッタの近傍に配された光吸収部に照射され、
前記情報の再生時にあっては、前記再生用参照光透過光が、前記記録用参照光偏向角可変ミラーにより反射され、前記情報の記録時における参照光の光路を逆進して、前記第２の偏光ビームスプリッタを透過／反射し、前記第２の偏光ビームスプリッタの近傍に配された前記光吸収部に照射されるように構成されてなる、ことを特徴とする請求項１または２に記載のホログラム記録再生装置。
【請求項４】
前記記録用光吸収手段および前記再生用光吸収手段の双方を備え、
前記光吸収部が、前記再生用参照光偏向角可変ミラーの近傍に配された記録時光吸収部
と、前記記録用参照光偏向角可変ミラーの近傍に配された再生時光吸収部と、からなることを特徴とする請求項１または２に記載のホログラム記録再生装置。
【請求項５】
前記記録用参照光透過光および/または前記再生用参照光透過光を前記光吸収部に導く
、光導波路または複数の反射ミラーを備えることを特徴とする請求項１〜４のうちいずれか１項に記載のホログラム記録再生装置。
【請求項６】
前記光吸収部が、ビームポケットまたは光吸収材からなることを特徴とする請求項１〜５のうちいずれか１項に記載のホログラム記録再生装置。
【発明の詳細な説明】
【技術分野】
【０００１】
本発明は、ホログラムを利用した情報記録や情報再生の処理を行なう際に、ホログラム記録媒体を透過することで発生する不要光を処理し得るホログラム記録再生装置に関するものである。
【背景技術】
【０００２】
近年、大容量かつ高速な情報記録再生システムとしてホログラムメモリが注目されている。ホログラムメモリは、参照光・信号光と称される２つのコヒーレント光を干渉させ、生じた干渉縞を記録媒体に屈折率変化として記録・保持する。信号光は「ページデータ」と称される２次元データ画像により空間的に変調され、レンズを通して記録媒体へ照射される。
【０００３】
このようなホログラムメモリにおいてさらなる高密度化・大容量化を可能とするため、参照光の条件（例えば記録媒体への入射角度、波長、あるいは波面など）を変化させることで、媒体の同一箇所に複数のページデータを多重して記録する多重記録技術が種々開発されている。多重記録の手法としてはこれまで様々なものが提案されている。入射角度を変えながら多重記録する角度多重方式はその代表的なものである（例えば下記特許文献１を参照）。
【０００４】
角度多重方式においては、参照光をガルバノメータミラーによって角度変更したり、あるいは参照光の軸と信号光の軸とを含む平面に対し垂直な軸線回りに記録媒体を回転させたりすることによって、参照光の記録媒体への進入角度を少しずつ変えながら複数のページデータをホログラムの形態で記録する。また再生時には、記録したときと同一条件の参照光を記録媒体へ照射することにより、記録媒体内部のホログラムにより光が回折し、再生光が得られる。これをカメラ等で撮影し復号することによって元の情報を読み出すことが可能となる。
【０００５】
図３は、例えば特許文献１にみられるような、典型的な角度多重方式によるホログラム記録再生装置の主要な光学系を示す図である。この図３を参照しながら、角度多重方式によるホログラム記録再生の概要を説明する。なお、図３に示す装置の各部材に付された符号は、後述する図１の装置の対応する各部材に付された符号に２００を加えて表すものとする。
【０００６】
図３に示すように、ページデータがＳＬＭ（Spatial Light Modulator：空間光変調器
）２２３に表示され、信号搬送光が空間的に変調されて信号光として出力される。信号光はＦＴＬ (フーリエ変換レンズ)２１０により集光され、開口絞り２１２により不要な高
周波成分が除去されたのちリレーレンズ２２０により記録媒体２１１に照射される。このとき同時に、参照光を記録媒体２１１の信号光照射位置に重ねて照射することで、光の干渉縞が生じ、この干渉縞模様の光の強弱に応じた屈折率変化が記録材料に誘起され、これがホログラムとして保持される。媒体材料としては光反応性有機材料（フォトポリマー）等がよく用いられている。
【０００７】
記録媒体２１１に向かう記録時参照光は、ガルバノメータミラー２１９で反射角度が順次変更され、リレーレンズ２２０を介して記録媒体２１１に照射された際の入射角度が順次変更される。このように参照光入射角度を順次変化させながら、その都度、異なるページデータを記録媒体の一箇所へ重ね書きしていくことにより角度多重ホログラム記録が完了する。
【０００８】
一方、再生時においては、参照光のみを記録媒体２１１の情報記録位置に裏面側から照射する。このとき、媒体内のホログラムにて光が回折し再生光が生じる。この後、イメージセンサ（カメラ）２２１で撮影された再生ページデータに対し補間処理、領域切出し処理、あるいはフィルタリング等の信号処理を施したのち、復調・エラー訂正することで元データを復元できる。
【０００９】
上記再生時の参照光照射方法は、再生時における参照光を、記録時における参照光とは位相共役となる方向から照射する、位相共役再生と称される手法である（例えば下記特許文献２を参照）。この位相共役再生の手法は、再生時の再生光光学系（リレーレンズ２２４、開口絞り２１２、ＦＴＬ２１０およびＰＢＳ２０９）を記録時の信号光照射光学系と兼用できるので光学系を簡素化することが可能であり、さらには、信号光に重畳されていた光学系収差（ディストーション）を情報再生時に打ち消すことができるので、高品質な再生信号が得られるという利点を有している。
【００１０】
また、再生時の参照光は、ガルバノメータミラー２３２からリレーレンズ２３３を経由して記録媒体２１１のホログラムへ照射することにより、位相共役再生が行なわれる。この場合、再生光は記録媒体からリレーレンズ２２４、開口絞り２１２、ＦＴＬ２１０およびＰＢＳ２０９を介してイメージセンサ（カメラ）２２１に到達する。
【００１１】
ところで、参照光が記録媒体へ照射されたのち、その大部分の光は記録または再生に寄与しない光として記録媒体を透過する（以後、「不要透過光」と称する）。この不要透過光をそのまま放置しておくと、光学系に配置されたミラー等で反射され、予期せぬ部位に照射され、後述する種々の不都合を引き起こす虞がある。
【００１２】
このような不要透過光による不都合については、下記特許文献３に開示された解決手法等が知られている。
【先行技術文献】
【特許文献】
【００１３】
【特許文献１】特開２００６−１５４１６３号公報
【特許文献２】特開２０１０−１２９１１０号公報
【特許文献３】特開２００５−２７５０６１号公報
【発明の概要】
【発明が解決しようとする課題】
【００１４】
しかしながら、上述した特許文献３に記載された従来手法によれば、下述するような種々の不都合が生じる虞がある。
すなわち、情報記録時においては、記録媒体に近接配置された光吸収体の光吸収率が極めて高くなければ記録媒体の情報未記録箇所に不要透過光が照射されてしまい、フォトポリマーの重合反応が開始され、記録材料が本来の記録性能を発揮できなくなったり、記録媒体の情報記録中の箇所に不要透過光が照射され、二重参照光記録となり、記録したページデータの信号品質が劣化する等の虞がある。
【００１５】
さらに、情報記録時において、不要透過光が信号光路中の光学部品にて散乱した場合、この散乱光が信号光に重畳され、ページデータの信号品質が劣化する虞がある。
【００１６】
また、情報再生時においては、記録媒体の情報再生中の箇所に不要透過光が照射されてしまい、２つ以上のページデータが同時に再生され、相互にクロストークノイズとなり信号品質が劣化する虞がある。
【００１７】
本発明は、上記事情に鑑みなされたもので、情報記録や情報再生に寄与しない不要透過光を適切に処理し、不要透過光が予期せぬ部位に照射されて種々の不都合が生じる虞を良好に回避し得るホログラム記録再生装置を提供することを目的とするものである。
【課題を解決するための手段】
【００１８】
本発明の角度多重ホログラム記録再生装置は、
光源から出射され、第１の偏光ビームスプリッタにより信号搬送光と参照光に分離され、情報の記録時においては、該信号搬送光が所望の情報を担持して信号光としてホログラム記録媒体の所定位置に照射されるとともに、分離された前記参照光が該所定位置に照射されることによって該所定位置に情報が記録され、情報の再生時においては、前記参照光のみを前記所定位置に照射して記録されている情報を読み出し、読み出された情報を撮像手段により撮像して情報が再生されるように構成され、
前記情報の記録時における記録用参照光と、前記情報の再生時における再生用参照光とは、第２の偏光ビームスプリッタにより偏光分離され、前記ホログラム記録媒体を挟んで互いに対向するような位置関係で該ホログラム記録媒体に照射される位相共役型とされたホログラム記録再生装置において、
前記情報の記録時にあっては、記録用参照光偏向角可変ミラーにより前記ホログラム記録媒体に照射された前記記録用参照光のうち、該ホログラム記録媒体を透過し、再生用参照光偏向角可変ミラーにて反射された記録用参照光透過光を吸収する光吸収部と、前記ホログラム記録媒体への参照光の入射角度の変化に拘らず、前記記録用参照光透過光が、前記光吸収部に入射するように前記再生用参照光偏向角可変ミラーによる参照光偏向角を制御する記録用参照光偏向角制御手段と、からなる記録用光吸収手段、
および、前記情報の再生時にあっては、前記再生用参照光偏向角可変ミラーにより前記ホログラム記録媒体に照射された前記再生用参照光のうち、該ホログラム記録媒体を透過し、前記記録用参照光偏向角可変ミラーにて反射された再生用参照光透過光を吸収する光吸収部と、前記ホログラム記録媒体への参照光の入射角度の変化に拘らず、前記再生用参照光透過光が、光吸収部に入射するように前記記録用参照光偏向角可変ミラーによる参照光偏向角を制御する再生用参照光偏向角制御手段と、からなる再生用光吸収手段、
のうち少なくとも一方の光吸収手段を備えたことを特徴とするものである。
【００１９】
また、前記情報の記録時において、前記ホログラム記録媒体に照射される前記記録用参照光の反射角を順次変更し、当該記録用参照光の前記ホログラム記録媒体への入射角度を順次変更しながら、この記録用参照光を前記ホログラム記録媒体の被照射部に重ねて照射する記録用参照光偏向角可変ミラーと、
前記情報の再生時において、前記ホログラム記録媒体に照射する前記再生用参照光の反射角を順次変更し、当該再生用参照光の前記ホログラム記録媒体への入射角度を順次変更しながら、この再生用参照光を前記ホログラム記録媒体の被照射部に重ねて照射する再生用参照光偏向角可変ミラーを備えることが好ましい。
【００２０】
また、前記記録用光吸収手段および前記再生用光吸収手段の双方を備え、
前記情報の記録時にあっては、前記記録用参照光透過光が、前記再生用参照光偏向角可変ミラーにより反射され、前記情報の再生時における参照光の光路を逆進して、前記第２の偏光ビームスプリッタを反射／透過し、該第２の偏光ビームスプリッタの近傍に配された光吸収部に照射され、
前記情報の再生時にあっては、前記再生用参照光透過光が、前記記録用参照光偏向角可変ミラーにより反射され、前記情報の記録時における参照光の光路を逆進して、前記第２の偏光ビームスプリッタを透過／反射し、前記第２の偏光ビームスプリッタの近傍に配された前記光吸収部に照射されるように構成されてなる、ことが好ましい。
【００２１】
ここで、「情報の再生時における参照光の光路を逆進して、前記第２の偏光ビームスプリッタを反射／透過し、……情報の記録時における参照光の光路を逆進して、前記第２の偏光ビームスプリッタを透過／反射し」とは、「情報の再生時における参照光の光路を逆進して、前記第２の偏光ビームスプリッタにより反射され、……情報の記録時における参照光の光路を逆進して、前記第２の偏光ビームスプリッタを透過し」ということ、または「情報の再生時における参照光の光路を逆進して、前記第２の偏光ビームスプリッタを透過し、……情報の記録時における参照光の光路を逆進して、前記第２の偏光ビームスプリッタにより反射され」ということ、を意味する。
【００２２】
また、前記記録用光吸収手段および前記再生用光吸収手段の双方を備え、
前記光吸収部が、前記再生用参照光偏向角可変ミラーの近傍に配された記録時光吸収部と、前記記録用参照光偏向角可変ミラーの近傍に配された再生時光吸収部と、からなることが好ましい。
【００２３】
また、前記記録用参照光透過光および/または前記再生用参照光透過光を前記光吸収部
に導く、光導波路または複数の反射ミラーを備えることが好ましい。
ここで、「前記記録用参照光透過光および/または前記再生用参照光透過光」とは、「
前記記録用参照光透過光および前記再生用参照光透過光」または「前記記録用参照光透過光または前記再生用参照光透過光」を意味するものである。
さらに、前記光吸収部が、ビームポケットまたは光吸収材からなることが好ましい。
【発明の効果】
【００２４】
本発明のホログラム記録再生装置によれば、所定位置に設けた光吸収部により不要透過光を取り込み、内部で吸収するようにしている。
これにより、情報記録時において、記録媒体の情報未記録領域に不要透過光が照射されてしまう虞を軽減することができ、これにより、フォトポリマーの重合反応が開始するのを阻止して、記録材料が本来の記録性能を発揮できなくなる事態を回避することができる。
【００２５】
また、同様に、記録媒体の情報記録領域に不要透過光が照射されてしまう虞を軽減することができ、これにより、同一領域に参照光が二重に照射される虞を回避することができ、記録したページデータの信号品質を維持することが可能となる。
【００２６】
また、情報再生時において、記録媒体の情報再生中の領域に不要透過光が照射されてしまう虞を軽減することができ、これにより、２つ以上のページデータが同時に再生される虞を回避することができ、クロストークノイズを軽減して信号品質を維持することが可能となる。
【００２７】
さらに、情報記録時において、信号光路中の光学部品に記録時不要透過光が照射され、その散乱光が生じる虞を低減することができるので、散乱光が信号光に重畳されるのを回避することができ、ページデータの信号品質を良好に維持することが可能となる。
【図面の簡単な説明】
【００２８】
【図１】本発明の実施例１に係るホログラム記録再生装置の全体構成（光学系を含む）を示す図である。
【図２】本発明の実施例２に係るホログラム記録再生装置の全体構成（光学系を含む）を示す図である。
【図３】従来技術に係るホログラムメモリ記録再生装置の全体構成（光学系を含む）を示す図である。
【発明を実施するための形態】
【００２９】
以下、本発明に係るホログラム記録再生装置の各実施例について、上記図面を参照しながら詳細に説明する。
【００３０】
＜実施例１＞
図１に示す角度多重ホログラム装置１００は、本発明の実施例１に係るホログラム記録再生装置を構成するものであり、記録媒体（ホログラム記録媒体）１１に対するホログラムの記録・再生を行うホログラム光学系５００と、再生された情報を撮像する、ＣＣＤやＣＭＯＳ等からなるイメージセンサ２１と、を備えてなる。なお、記録媒体１１としては、例えば、２枚のガラス板に挟持された厚さ１ｍｍ程度のフォトポリマー材料により構成されたものを用いることができる。
【００３１】
レーザー光源１から射出されたレーザー光（例えば、波長λ＝５３２ｎｍ）は、シャッタ２を介して出力され、スペイシャルフィルタ３でビーム径が拡大され、半波長板５においてその偏光方向（振動面方向）を任意に変え得るように構成されている。すなわち、Ｐ偏光成分とＳ偏光成分の比率を任意に変えることができる。半波長板５から出力されたレーザー光は、ＰＢＳ（請求項における第１ビームスプリッタ）６においてＰ偏光成分は直進して信号搬送光とされ、Ｓ偏光成分は進行方向が直角に曲げられて参照光とされる。
【００３２】
記録時における、ＰＢＳ６により分離される信号搬送光と参照光の比率は、一般に1:1
〜1:3程度の範囲とされる。この比率は、光学系の構成（特に記録媒体上における信号光
のスポットの大きさ）、ビームプロファイル、ページデータの白・黒比率などに基づいて決定される。
【００３３】
一方、再生時における、ＰＢＳ６により分離される信号搬送光と参照光の比率は、参照光のみを記録媒体１１に照射する構成とされていることから、0:1となる。
ＰＢＳ６により光路を直角に折り曲げられた参照光は、半波長板１４が光路から選択的に挿抜されることにより、Ｓ偏光状態またはＰ偏光状態のいずれかの偏光状態とされる。
【００３４】
図１に示す角度多重ホログラム装置１００においては、記録時において半波長板１４が光路中から抜去されて参照光はＳ偏光状態のままとされ、再生時において半波長板１４が光路中に挿入されて参照光はＰ偏光状態に変換される（図２に示す角度多重ホログラム装置２００において同じ）。以下、記録時の参照光がＳ偏光状態、再生時の参照光がＰ偏光状態に設定される場合について説明する。ただし、信号光の記録媒体１１への照射を図１に示す場合とは反対側から行うように変更することを条件として、記録時の参照光がＰ偏光状態、再生時の参照光がＳ偏光状態に設定しても、同様の作用効果を得ることができる。
【００３５】
この後、参照光は開口絞り１６を通過した後、ＰＢＳ（請求項における第２ビームスプリッタ）１７によって、再生時参照光（Ｐ偏光）の場合は透過し、記録時参照光（Ｓ偏光）の場合は直角に反射される。
【００３６】
一方、ＰＢＳ６を直進した信号搬送光は、2つのレンズ７、８によりビーム径が拡大さ
れ、シャッタ２２を介してＰＢＳ９に入射する。信号搬送光はＰＢＳ９に入射された際にはＰ偏光状態とされているので、このＰＢＳ９を透過してＳＬＭ２３に入射する。ＳＬＭ２３は所望のページデータ情報を順次表示するように構成されており、ＳＬＭ２３に入射した信号搬送光は情報を担持して信号光として出力される。ＳＬＭ２３から出力された信号光は振動面が半波長分だけずらされてＳ偏光状態となっているので、ＰＢＳ９により記録媒体１１方向に反射される。この後、信号光はＦＴＬ（フーリエ変換レンズ）１０、開口絞り１２およびリレーレンズ２４を介して、記録媒体１１の所定領域に照射されること
になる。
上述したＰＢＳ１７で直角に反射された記録時参照光は、ミラー１８を介してガルバノメータミラー（請求項における記録用参照光偏向角可変ミラー）１９に照射される。一方、ＰＢＳ１７を透過した再生時参照光は、ミラー３１を介してガルバノメータミラー（請求項における再生用参照光偏向角可変ミラー）３２に照射される。
【００３７】
ガルバノメータミラー１９は、ページデータの記録毎にミラー回転角度を所定量づつ変更するよう制御（制御装置４１からの制御信号による）されるようになっており、これにより、記録媒体１１の同一領域への記録用参照光の入射角度が、ページデータの記録毎に変更されるようになっており、記録媒体１１の同一領域に別角度から入射する各信号光との干渉により角度多重記録を行うことができるようになっている。なお、ガルバノメータミラー１９と記録媒体１１の間にリレーレンズ２０が介挿されている。
【００３８】
一方、ガルバノメータミラー３２は、ページデータの再生毎にミラー回転角度を所定量ずつ変更するよう制御（制御装置４１からの制御信号による）されるようになっており、これにより、記録媒体１１の同一領域への再生用参照光の入射角度が、ページデータの再生毎に変更されるようになっている。なお、ガルバノメータミラー３２と記録媒体１１の間にリレーレンズ３３が介挿されている。
【００３９】
ところで、記録時において、記録媒体１１を透過した記録用参照光は記録処理に寄与しなかった不要な透過光である。この不要な記録時透過光はリレーレンズ３３を介して、再生用参照光偏向角可変ミラーである、ガルバノメータミラー３２に到達する。
【００４０】
従来技術においては、記録時において、再生用参照光偏向角可変ミラーである、ガルバノメータミラー３２は通常、稼働しておらず、そのため、角度多重記録において時々刻々変化する記録媒体１１からの出射光がガルバノメータミラー３２に種々の角度で入射すると、ガルバノメータミラー３２により記録時参照光透過光が種々の方向に反射されることになり、さらに光学系の各部材において反射された記録時参照光透過光は、次のような種々の問題を引き起こす。
【００４１】
例えば、情報記録時において、記録媒体の情報未記録箇所に記録時参照光透過光が照射され、フォトポリマーの重合反応が開始され、記録材料が本来の記録性能を発揮できなくなったり、記録媒体の情報記録中の箇所に不要な記録時透過光が照射され、二重参照光記録となり、記録したページデータの信号品質が劣化する。
さらに、情報記録時において、記録時参照光透過光が信号光路中の光学部品に照射されて散乱光を生じた場合、この散乱光が信号光に重畳され、ページデータの信号品質が劣化する。
【００４２】
そこで、本実施例においては、記録時において、再生用のガルバノメータミラー３２の回転角度を調整することで、時々刻々変化する記録媒体１１からの記録時参照光透過光の出射角の大きさに拘らず、一定方向（ミラー３１方向）に反射させ得るように、ガルバノメータミラー３２における記録時参照光透過光の偏向角を制御するように構成している。このようにガルバノメータミラー３２における記録時参照光透過光の偏向角の制御は、制御装置４１からガルバノメータミラー１９の回転モータの駆動部に対して、所定の駆動指示信号が入力することにより行われる。
【００４３】
なお、制御装置４１は、記録時参照光透過光（および再生用参照光透過光）の偏向角制御を行うだけではなく、通常の角度多重記録操作および角度多重再生操作に関するガルバノメータミラー１９、３２の回転駆動制御、レーザー光源１からのレーザー光出力調整、シャッタ２、２２の開閉操作、イメージセンサ２１の撮像タイミング調整等の種々の機能
を有しているが、ここでは、記録時参照光透過光（および再生用参照光透過光）の偏向角について行われる制御に絞って説明している。
【００４４】
ここで、上述した記録時においては、ガルバノメータミラー３２により反射された記録時参照光透過光は、ミラー３１により直角に反射され、図１中で側方からＰＢＳ１７に入射する。
【００４５】
記録時参照光透過光がＰＢＳ１７に入射する際には、Ｓ偏光状態とされているので、記録時参照光透過光はＰＢＳ１７で直角方向に反射される。すなわち、記録時参照光透過光は、図１中でＰＢＳ１７の上方に反射されるので、このＰＢＳ１７の上方近傍の位置に光吸収部２５を配置すれば、記録時参照光透過光を吸収することができ、外乱光となって上述したような問題を引き起こすこともない。
【００４６】
また、本実施例においては、再生時においても、記録時と同様の手法で再生時参照光透過光を吸収するようにしている。すなわち、再生時において、記録媒体１１を透過した再生用参照光は再生処理に寄与しなかった不要な再生時参照光透過光である。再生時参照光透過光はリレーレンズ２０を介して、記録用参照光偏向角可変ミラーである、ガルバノメータミラー１９に到達する。
【００４７】
従来技術においては、再生時において、記録用参照光偏向角可変ミラーである、ガルバノメータミラー１９は通常、稼働しておらず、そのため、角度多重記録において時々刻々変化する記録媒体１１からの記録用参照光透過光がガルバノメータミラー１９に種々の角度で入射すると、ガルバノメータミラー１９により種々の方向に反射され、さらに光学系の各部材において反射されて、次のような問題を引き起こす。
【００４８】
すなわち、情報再生時において、記録媒体の情報再生中の箇所に再生時参照透過光が照射され、２つ以上のページデータが同時に再生され、相互にクロストークノイズとなり信号品質が劣化する。
【００４９】
そこで、本実施例においては、再生時において、上記記録時と同様に、記録用のガルバノメータミラー１９の回転角度を調整することで、時々刻々変化する、記録媒体１１からの再生時参照光透過光の出射角の大きさに拘らず、一定方向（ミラー１８方向）に反射させ得るように、ガルバノメータミラー１９における再生時参照光透過光の偏向角を制御するように構成している。
【００５０】
ここで、上述した再生時においては、ガルバノメータミラー１９により反射された再生時参照光透過光は、ミラー１８により直角に反射され、図１中で下方からＰＢＳ１７に入射する。
【００５１】
再生時参照光透過光がＰＢＳ１７に入射する際には、Ｐ偏光状態とされているので、再生時参照光透過光はＰＢＳ１７を透過する。すなわち、再生時参照光透過光は、図１に示すようにＰＢＳ１７の上方に透過されるので、このＰＢＳ１７の上方近傍の位置に光吸収部２５を配置すれば、記録時参照光透過光を吸収することができ、外乱光となって上述したような問題を引き起こすこともない。
【００５２】
このように、本実施例によれば、記録時においても再生時においても、参照光透過光をＰＢＳ１７の上方近傍に配された１つの光吸収部２５において吸収し得るので、光学系の簡素化および小型化を促進することができる。
なお、必要に応じて光路を折り曲げるためにミラー４、１５、１８、３１が設けられている。
【００５３】
＜実施例２＞
図２に示す角度多重ホログラム装置２００は、本発明の実施例２に係るホログラム記録再生装置を構成するものであり、記録媒体１１１に対するホログラムの記録・再生を行うホログラム光学系６００と、再生されたホログラムを撮像する、ＣＣＤやＣＭＯＳ等からなるイメージセンサ１２１と、を備えてなる。なお、図２に示す実施例２に係る装置の各部材に付された符号は、図１に示す実施例１に係る装置の対応する各部材に付された符号に１００を加えて表すものとし、重複した説明は省略するものとする。
【００５４】
装置２００内において、装置コンパクト化の要請に基づき、光学部材配置や物理的な部品の干渉を防止する観点から、ＰＢＳ１１７近傍に光吸収部用のスペースを確保することが困難な場合があり、このような場合には、本実施例のように、参照光路外に光吸収部を設定するようにしてもよい。
【００５５】
すなわち、記録時には、記録媒体１１１を透過した記録時参照光透過光がリレーレンズ１３３を透過してガルバノメータミラー１３２に到達する。図２中の記録時光吸収部１３４にビームを照射するには、実施例１で説明したガルバノメータミラー３２の偏向角制御に、所定角度のオフセット量を与えれば、記録時参照光透過光の記録媒体１から出射光角度に拘らず、ガルバノメータミラー３２の反射光を、記録時光吸収部１３４方向（実施例１ではミラー３１方向）に出射させることができる。
【００５６】
同様に、再生時には、記録媒体１１１を透過した再生時参照光透過光がリレーレンズ１２０を透過してガルバノメータミラー１１９に到達する。この再生時参照光透過光を、図２中の再生時光吸収部１２５に照射するには、実施例１で説明したガルバノメータミラー１９の偏向角制御に、所定角度のオフセット量を与え、記録時参照光透過光の記録媒体１１１からの出射光角度に拘らず、ガルバノメータミラー１１９の反射光を、再生時光吸収部１２５方向（実施例１ではミラー１８方向）に出射することができる。
【００５７】
＜光吸収部＞
実施例１および実施例２に係る光吸収部としては、種々の光吸収体を用いて構成することができる。そのうち、最も基本的な光吸収体はビームポケットである。ビームポケットは、光の進行方向に向かうに従って細くなるコーン型をなし、内部はテーパー加工と遮光ネジ加工が施されている。また、入射光が内壁部で反射される度に光を吸収し得る、黒アルマイト処理等がその内壁面に施されている。このように構成されたビームポケットは、その底面側から内部に入射する参照光透過光を遮光反射させつつ吸収することになる。
【００５８】
より小型の光吸収体としては、有機材料等からなる黒色塗料のうち、レーザー光の使用波長域において吸光度の高いものを選択し、ベース材に塗布して用いることもできる。さらに厚みの薄い小型の光吸収体としては、近年開発されたカーボンナノチューブを用いた光吸収材料（例えば特許第5119407号）等を用いることができる。
【００５９】
＜変更態様＞
本発明のホログラム記録再生装置としては、上記実施形態（実施例１、２）のものに限られるものではなく、その他の種々の態様に変更することができる。例えば、上記実施形態においては、発明を角度多重に係るホログラム記録再生装置に適用しているが、本発明のホログラム記録再生装置としてはこれに限られるものではなく、角度多重以外の多重手法を用いたホログラム記録再生装置や非多重に係るホログラム記録再生装置にも適用が可能である。
【００６０】
また、ＰＢＳやガルバノメータミラーの近傍ではなく、距離が離れた位置に光吸収部を
配設せざるを得ない場合には、光ファイバを含む光導波路や、複数の反射ミラーを用いて、ＰＢＳやガルバノメータミラーから光吸収部まで導光するようにしてもよい。
なお、上記実施形態においては、記録用光吸収手段と再生用光吸収手段の双方を設けて記録時および再生時の双方において参照光透過光を吸収するようにしているが、いずれかの光吸収手段のみを設けて、記録時または再生時においてのみ参照光透過光を吸収するようにしてもよい。
【００６１】
また、上記ガルバノメータミラーに替えて、ポリゴンミラー等の他の光走査手段を用いるようにしてもよい。
さらに、光吸収部への参照光透過光の光量および照射時間によっては、この光吸収部が高熱化する虞があるので、この光吸収部に冷却用のフィンやファン（空気の擾乱を誘起しないようにすることが肝要である）を設けることも可能である。
【符号の説明】
【００６２】
１、１０１、２０１      レーザー光源
２、２２、１０２、１２２、２０２、２２２      シャッタ
３、１０３、２０３      スペイシャルフィルタ
４、１５、１８、３１、１０４、１１５、１１８、１３１、
２０４、２１５、２１８、２３１      ミラー
５、１４、１０５、１１４、２０５、２１４      半波長板
６、９、１７、１０６、１０９、１１７、
２０６、２０９、２１７      偏光ビームスプリッタ（ＰＢＳ）
７、８、１０、１０７、１０８、１１０、２０７、２０８、２１０      レンズ（ＦＴＬを含む）
１１、１１１、２１１      ホログラム記録媒体
１２、１６、１１２、１１６、２１２、２１６      開口絞り
１９、３２、１１９、１３２、２１９、２３２      ガルバノメータミラー
２０、２４、３３、１２０、１２４、１３３、
２２０、２２４、２３３      リレーレンズ
２１、１２１、２２１      イメージセンサ
２３、１２３、２２３      ＳＬＭ（空間変調器）
２５、１２５、１３４      光吸収部
４１、１４１      制御装置
１００、２００、３００      角度多重ホログラム装置
５００、６００、７００      ホログラム光学系
【図１】
0006349611.tif 000002
【図２】
0006349611.tif 000003
【図３】
0006349611.tif 000004